(57)【要約】      （修正有）【課題】機械室から空気清浄フィルターを取り外すことなく清掃できるショーケースを提供する。【解決手段】機械室に凝縮器および送風機を備え、凝縮器の上流側に開閉可能に設けたキックプレート２３に空気清浄フィルター３１を備えたショーケースであって、空気清浄フィルター３１が上部ガイドレール５１と下部ガイドレール５３により、移動自在な移動機構を備え、前記移動機構がフィルター面に対向し固定保持されたブラシ４５を備える。【選択図】図２
2020127681.tif 000002
【特許請求の範囲】
【請求項１】
機械室に凝縮器および送風機を備え、前記凝縮器の風上側に空気清浄フィルターを備えたショーケースであって、
前記空気清浄フィルターのフィルター面を移動自在な移動機構を備え、
前記移動機構は、フィルター面に対向した清掃部を備えたことを特徴とするショーケース。
【請求項２】
平置き型のショーケースであって、
前記機械室は、前方に開くキックプレートを備え、
前記空気清浄フィルターが前記キックプレートを開いたときの上面に配置されたことを特徴とする請求項１に記載のショーケース。
【請求項３】
前記移動機構が前記フィルター面を挟む一対の挟み部材を備え、
いずれか一方の挟み部材に前記清掃部が保持されたことを特徴とする請求項１又は請求項２に記載のショーケース。
【請求項４】
前記清掃部を保持した挟み部材の内側に前記清掃部で取り除いた塵埃を貯留する貯留部を備えたことを特徴とする請求項３に記載のショーケース。
【請求項５】
前記貯留部の開口縁が前記貯留部の内側に向けて折り曲げられたことを特徴とする請求項４に記載のショーケース。
【請求項６】
前記一対の挟み部材のいずれか一方に前記移動機構を移動するためのハンドル部材を備えたことを特徴とする請求項１乃至５のいずれかに記載のショーケース。
【発明の詳細な説明】
【技術分野】
【０００１】
本発明は、ショーケースに関する。
【背景技術】
【０００２】
一般に、都市型スーパー、コンビニエンスストア等において使用されるショーケースが知られている。この種のショーケースのうち、平置き型のショーケースでは、下部に、機械室を備え、上部に、上面を開口した陳列室を備えるものがある（例えば、特許文献１を参照）。そして、機械室には凝縮器および送風機が配置され、凝縮器の上流側には空気清浄フィルターが配置されている。
この空気清浄フィルターは、一般に、上記機械室のうち、吸い込みグリルと凝縮器の間に設けたフィルター枠にはめ込まれている。
【先行技術文献】
【特許文献】
【０００３】
【特許文献１】特開２０１８−１３０１３９号公報
【発明の概要】
【発明が解決しようとする課題】
【０００４】
しかしながら、従来の技術では、空気清浄フィルターの清掃において、機械室のフィルター枠から一度空気清浄フィルターを取り外して清掃しなければならない。
本発明は、上述した事情に鑑みてなされたものであり、機械室から空気清浄フィルターを取り外すことなく清掃できるショーケースを提供することを目的とする。
【課題を解決するための手段】
【０００５】
上記目的を達成するために、本発明は、機械室に凝縮器および送風機を備え、前記凝縮器の風上側に空気清浄フィルターを備えたショーケースであって、前記空気清浄フィルターのフィルター面を移動自在な移動機構を備え、前記移動機構は、フィルター面に対向した清掃部を備えたことを特徴とする。
【発明の効果】
【０００６】
本発明によれば、移動機構が、フィルター面に対向した清掃部を備えたため、移動機構をフィルター面に沿って移動させることにより、空気清浄フィルターを機械室から取り外すことなく、簡単に清掃することができる。
【図面の簡単な説明】
【０００７】
【図１】本発明の実施形態に係る平置き型のショーケースの横断面図
【図２】キックプレートを開いた状態を示す断面図
【図３】図１のＩＩＩ−ＩＩＩ断面を上から見た平面図
【図４】図３のＢ部分の拡大図
【図５】図４の断面図
【図６】移動機構の分解図
【図７】キックプレートを開いた状態における移動機構と空気清浄フィルターの関係を示す平面図
【図８】図７の状態から被せ部材を取り外した平面図
【発明を実施するための形態】
【０００８】
第１の発明におけるショーケースは、機械室に凝縮器および送風機を備え、前記凝縮器の風上側に空気清浄フィルターを備えたショーケースであって、前記空気清浄フィルターのフィルター面を移動自在な移動機構を備え、前記移動機構は、フィルター面に対向した清掃部を備えたことを特徴とする。
この発明によれば、機械室から空気清浄フィルターを取り外すことなく、移動機構を移動させることにより空気清浄フィルターを簡易に清掃することができる。
【０００９】
第２の発明におけるショーケースは、第１の発明において、平置き型のショーケースであって、前記機械室は、前方に開くキックプレートを備え、前記空気清浄フィルターが前記キックプレートを開いたときの上面に配置されたことを特徴とする。
この発明によれば、キックプレートを開いたときの上面に空気清浄フィルターが配置されているため、機械室から空気清浄フィルターを取り外すことなく、上面に位置する空気清浄フィルターを移動機構を移動させるだけで清掃でき、清掃が容易である。
【００１０】
第３の発明におけるショーケースは、第１の発明又は第２の発明において、前記移動機構が前記フィルター面を挟む一対の挟み部材を備え、いずれか一方の挟み部材に前記清掃部が保持されたことを特徴とする。
この発明によれば、いずれか一方の挟み部材に清掃部を保持したため、移動機構を移動させるだけで清掃部がフィルター面にあたり、清掃部がフィルター面を移動し、空気清浄フィルターを容易に清掃できる。
【００１１】
第４の発明におけるショーケースは、第３の発明において、前記清掃部を保持した挟み部材の内側に前記清掃部で取り除いた塵埃を貯留する貯留部を備えたことを特徴とする。
この発明によれば、清掃部を保持した挟み部材の内側に貯留部を備えたため、清掃部で取り除いた塵埃を容易に捕集できる。
【００１２】
第５の発明におけるショーケースは、第４の発明において、前記貯留部の開口縁が前記貯留部の内側に向けて折り曲げられたことを特徴とする。
この発明によれば、貯留部の開口縁を貯留部の内側に向けて折り曲げたため、塵埃が外にこぼれず、清掃部で取り除いた塵埃を、貯留部に効率よく回収できる。
【００１３】
第６の発明におけるショーケースは、第１の発明から第５の発明において、前記一対の挟み部材のいずれか一方に前記移動機構を移動するためのハンドル部材を備えたことを特徴とする。
この発明によれば、いずれか他方の挟み部材に移動機構を移動するときのハンドル部材を備えたため、移動機構の移動操作が容易になる。
【００１４】
以下、本発明の実施形態について、図面を参照しながら説明する。なお、本実施形態によって本発明が限定されるものではない。図１は、平置き型のショーケース１の横断面図である。図１におけるショーケース１の横断面図を基準として、左側を前、右側を後、上側を上、下側を下と定義する。
【００１５】
図１に示すように、ショーケース１は、下部に、機械室３を備え、上部に、上面を開口した陳列室５を備えている。陳列室５は、断熱材７により囲われている。断熱材７は、熱交換室１１を囲っている。熱交換室１１には、蒸発器１３および蒸発器ファン１５が配置されている。機械室３には、凝縮器１７、凝縮器ファン（送風機）１９および圧縮機２１が配置されている。ショーケース１の底部には、キャスター２２が設けられている。
圧縮機２１、凝縮器１７および蒸発器１３は図示を省略した冷媒配管により接続され、冷凍サイクルを構成している。
【００１６】
機械室３の前面には、キックプレート２３が設けられている。
キックプレート２３は、図２に示すように、ほぼ水平状態まで開く扉である。キックプレート２３の下端部は、ヒンジ２５によりフレーム２７に支持されている。キックプレート２３の上端部には、取っ手２８が備えられている。取っ手２８は、所定の長さだけ前方に延びた側面視コ字状に形成される。この所定の長さは、キックプレート２３を開いたときに、取っ手２８が地面と当接することで、キックプレート２３をほぼ水平状態に保つことができる長さである。取っ手２８は、キックプレート２３を開くときには取っ手として機能し、キックプレート２３を開いたときには、キックプレート２３を支える脚として機能する。
【００１７】
図３に示すように、キックプレート２３の内側であって、スリット２９の上部及び下部には、後述する移動機構３５をスライドするためのガイドレールがキックプレート２３の長手方向に延在して備えられている。スリット２９の上部に設けられるガイドレールは、上部ガイドレール５１である。スリット２９の下部に設けられるガイドレールは、下部ガイドレール５３である。
【００１８】
キックプレート２３の内側（キックプレート２３を閉じた状態における機械室３側）であって、スリット２９の左右両側には、空気清浄フィルター３１を収納するための収納ガイド５５がキックプレート２３の短手方向に備えられている。
この収納ガイド５５に、空気清浄フィルター３１が配置される。空気清浄フィルター３１は、キックプレート２３が水平状態まで開かれたとき、扉の上面３４に配置される。
【００１９】
空気清浄フィルター３１は、凝縮器１７の風上側であって、凝縮器１７とほぼ同じ幅の領域に配置されている。また、キックプレート２３は、外気を機械室内に吸い込むためのスリット２９を複数備える。これらスリット２９と空気清浄フィルター３１と凝縮器１７とは、キックプレート２３をショーケース１に装着したときに、正面視において重なる位置に配置される。
【００２０】
空気清浄フィルター３１は、フィルター枠３０とフィルター面３２とを備える。
ショーケース１は、フィルター面３２を移動自在に構成された移動機構３５を備える。
図６に示すように、移動機構３５は、キックプレート２３の内側（図１に示すキックプレート２３を閉じた状態における機械室３側）に配置され上部ガイドレール５１及び下部ガイドレール５３によりスライドするスライド部材４１（挟み部材）と、フィルター面３２を介してスライド部材４１に装着される被せ部材４３（挟み部材）と、を備える。スライド部材４１及び被せ部材４３は、空気清浄フィルター３１のフィルター面３２の両面を挟む一対の挟み部材である。
また、移動機構３５は、スライド部材４１に収納されるブラシ部材４７を備える。
【００２１】
図２、図４、図６に示すように、スライド部材４１は、上スライド板６０と下スライド板６１の２つの板金により形成される。
上スライド板６０は、上部ガイドレール５１をスライド可能に構成される。すなわち、上スライド板６０の一端は、爪部６０Ａを備える。この爪部６０Ａは、スライド部材４１を上部ガイドレール５１に装着するとき、上部ガイドレール５１の係り部５１Ａに引っ掛けられる形状とされている。爪部６０Ａは、スライド部材４１と被せ部材４３とを固定する固定具６３を備える。この固定具６３は、化粧ねじとされている。
上スライド板６０の他端には、起立部６０Ｂが備えられている。起立部６０Ｂは、その先端部分が図２に示すキックプレート２３を開いた状態における斜め上方に向かって立ち上がる部分である。起立部６０Ｂは、図７に示すように、開口６６を備える。この開口６６には、被せ部材４３をスライド部材４１に固定する際の位置決めとして用いられる。
上スライド板６０の中央部と起立部６０Ｂとの間の部分には、下スライド板６１の他端部がねじ止めにより、固定される。下スライド板６１の一端は、爪部６１Ａを備える。この爪部６１Ａは、スライド部材４１を下部ガイドレール５３に装着するとき、下部ガイドレール５３に被せることが可能な形状である。
また、図５に示すように、スライド部材４１は、箱型の形状を備える。スライド部材４１の内側には、挿入部４６が形成される。この挿入部４６に、ブラシ部材４７が挿入される。挿入部４６は、吸い込み側のフィルター面３２Ａとの対向部が開口し、かつ、スライド部材４１は、長手方向の開口縁４１Ａが、挿入部４６の内側上方に向けて折り曲げられている。開口縁４１Ａを内側上方に折り曲げたことにより、塵埃が外にこぼれることを抑制でき、ブラシ４５で取り除いた塵埃を、ブラシ部材４７に効率よく回収できる。
フィルター枠３０は、硬い部材であり、フィルター面３２は、網状とされているため、開口縁４１Ａが、挿入部４６の内側上方に向けて折り曲げたとしても、フィルター枠３０の形状を維持しつつ、フィルター面３２を押し上げることで塵埃が外にこぼれることが抑制される。
【００２２】
図５及び図８に示すように、ブラシ部材４７は、スライド部材４１の上スライド板６０の内側に挿入可能であり、ブラシ部材４７の長手方向には、上スライド板の形状に沿った側壁４７Ａが備えられている。これにより、フィルター３１から取り除かれた塵埃をブラシ部材４７に溜めることができる。ブラシ部材４７の内側４７Ｂは、貯留部として機能している。
また、ブラシ部材４７は、その中央部に、ブラシ部材４７の長手方向に沿って延びるブラシ４５（清掃部）を備える。ブラシ４５は、フィルター面３２のうち、空気の流れの上流側の面、すなわち、吸い込み側のフィルター面３２Ａに対向する。
ブラシ４５は、図８に示すように、空気清浄フィルター３１の幅Ｗとほぼ同じ幅を備えている。ブラシ４５は、吸い込み側のフィルター面３２Ａに付着した塵埃を取り除くことができる形態を備えている。
なお、清掃部としては、ブラシ４５に限るものではなく、空気清浄フィルター３１に付着した塵埃を取り除くことができるものであればよい。
【００２３】
図５に示すように、被せ部材４３は、フィルター面３２のうち、空気の流れの下流側の面、すなわち、吐き出し側のフィルター面３２Ｂに対向して配置される。
図２及び図６に示すように、被せ部材４３は、その他端に位置決め爪４３Ａを備える。
被せ部材４３の一端部４３Ｂは、上スライド板６０の爪部６０Ａを覆う形状を備えており、固定具６３により、外側から爪部６０Ａに固定される。
被せ部材４３をスライド部材４１に装着するとき、まず上スライド板６０の起立部６０Ｂに位置決め爪４３Ａを挿入することにより、被せ部材４３の位置決めをする。次いで、一端部４３Ｂを、固定具６３により、外側から爪部６０Ａに固定する。
また、被せ部材４３は、断面Ｔ字型のハンドル部材４４を備える。ハンドル部材４４は、移動機構３５を移動させる際の、取っ手である。ハンドル部材４４の長さは、図７に示すように、空気清浄フィルター３１の幅Ｗの半分程度である。
被せ部材４３は図５及び図７に示すように、長手方向の両端部に、斜め上方に折り曲げられた折り曲げ部４８を備える。折り曲げ部４８は、上面視において、スライド部材４１の開口縁４１Ａと重なる。
【００２４】
次に、本実施形態の作用について説明する。
通常運転時、機械室３のキックプレート２３は閉じられている。
この場合、移動機構３５は、図３に示すように、凝縮器１７の端の、凝縮器１７に向かう風の抵抗とならない位置に待機している。
【００２５】
空気清浄フィルター３１の清掃時には、まず運転を停止し、キックプレート２３を、図２に示すように、ほぼ水平状態となるまで開く。
この状態では、キックプレート２３に配置された、空気清浄フィルター３１の、吐き出し側のフィルター面３２Ｂが上方に露出する。そして、吐き出し側のフィルター面３２Ｂを上方に露出させた状態で、ユーザーが、ハンドル部材４４を掴んで、移動機構３５を、図３に示す待機位置から、矢印Ａの方向にスライドさせる。
【００２６】
矢印Ａの方向にスライドさせると、ブラシ４５が、フィルター面３２のうち、吸い込み側のフィルター面３２Ａに対向しているため、吸い込み側のフィルター面３２Ａに付着した塵埃をかき落とす。かき落とした塵埃は、ブラシ部材４７に捕集される。長手方向の開口縁４１Ａを、内側に折り曲げているため、塵埃が外にこぼれることを抑制でき、塵埃を、ブラシ部材４７の内側４７Ｂの部分に効率よく回収できる。
【００２７】
矢印Ａの方向にスライドさせる際には、スライド部材４１及び被せ部材４３（一対の挟み部材）により、フィルター面３２を両側から挟みながら、ハンドル部材４４を、吐き出し側のフィルター面３２Ｂの側に押し込むようにして、スライドさせてもよい。
ハンドル部材４４を、吐き出し側のフィルター面３２Ｂの側に押し込むことで、スライド部材４１及び被せ部材４３（一対の挟み部材）の間隔が狭まり、ブラシ４５が、吸い込み側のフィルター面３２Ａに強くあたり、付着した塵埃を効果的に取り除くことができる。
【００２８】
以上説明したように、本実施の形態によれば、空気清浄フィルター３１のフィルター面３２を移動自在な移動機構３５を備え、移動機構３５は、フィルター面３２に対向したブラシ４５（清掃部）を備えた。
これにより、機械室３から空気清浄フィルター３１を取り外すことなく、移動機構３５を移動させることにより空気清浄フィルター３１を簡易に清掃することができる。
【００２９】
また、本実施の形態によれば、平置き型のショーケース１であって、機械室３は、前方に開くキックプレート２３を備え、空気清浄フィルター３１がキックプレート２３を開いたときの上面３４に配置されたことを特徴とする。
この発明によれば、キックプレート２３を開いたときの上面３４に空気清浄フィルター３１が配置されているため、機械室３から空気清浄フィルター３１を取り外すことなく、上面３４に位置する空気清浄フィルター３１を移動機構３５を移動させるだけで清掃でき、清掃が容易である。
【００３０】
また、本実施の形態によれば、移動機構３５がフィルター面３２を挟むスライド部材４１及び被せ部材４３（一対の挟み部材）を備え、スライド部材４１に挿入されるブラシ部材４７（いずれか一方の挟み部材として、スライド部材４１が相当している）にブラシ４５（清掃部）を保持した。
これによれば、移動機構３５を移動させるだけでブラシ４５がフィルター面３２にあたり、ブラシ４５がフィルター面３２を移動し、空気清浄フィルター３１を容易に清掃できる。
【００３１】
また、本実施の形態によれば、ブラシ４５（清掃部）を保持したスライド部材４１（挟み部材）の内側にブラシ４５（清掃部）で取り除いた塵埃を貯留するブラシ部材４７の内側４７Ｂ部分（貯留部）を備えた。
これによれば、ブラシ４５（清掃部）で取り除いた塵埃を容易に捕集できる。
【００３２】
また、本実施の形態によれば、スライド部材４１の挿入部４６に挿入されたブラシ部材４７の開口縁４１Ａが、ブラシ部材４７の内側４７Ｂ部分（貯留部）に向けて上方に折り曲げられた。
これによれば、塵埃が外にこぼれることを抑制でき、ブラシ４５で取り除いた塵埃を、ブラシ部材４７に効率よく回収できる。さらに、開口縁４１Ａと当接するフィルター枠３０は、硬い部材であり、フィルター面３２は、網状とされているため、開口縁４１Ａが、挿入部４６の内側上方に向けて折り曲げたとしても、フィルター枠３０の形状を維持しつつ、フィルター面３２を押し上げることで塵埃が外にこぼれることが抑制される。
【００３３】
また、本実施の形態によれば、移動機構３５を移動するためのハンドル部材４４を備えた。
これによれば、移動機構の移動操作が容易になる。
【００３４】
また、本実施の形態によれば、平置き型のショーケース１であって、機械室３がほぼ水平状態まで開くキックプレート２３を備え、空気清浄フィルター３１がキックプレート２３を開いたときの上面３４に配置される。
これによれば、キックプレート２３をほぼ水平状態まで開いたときの上面３４に空気清浄フィルター３１が配置されているため、空気清浄フィルター３１がほぼ水平状態で露出し、機械室３から空気清浄フィルター３１を取り外すことなく、ほぼ水平状態で、移動機構３５を移動させるだけで清掃でき、清掃が容易である。
【００３５】
以上、一実施形態について説明したが、本発明は、この実施形態に限定されるものではない。スライド部材４１及び被せ部材４３（一対の挟み部材）の形態は、吸い込み側のフィルター面３２Ａに付着した塵埃を取り除くことができれば、どのような形態であってもよい。
ブラシ４５の材質は、吸い込み側のフィルター面３２Ａを傷付けない材質が望ましい。
また、上記実施形態では、平置き型のショーケース１への適用について説明したが、オープンショーケース、リーチインショーケースなど、各種のショーケースへの適用が可能なことは言うまでもない。
【符号の説明】
【００３６】
１  ショーケース
３  機械室
１３  蒸発器
１５  蒸発器ファン
１７  凝縮器
１９  凝縮器ファン（送風機）
２１  圧縮機
２３  キックプレート
３０  枠部
３１  空気清浄フィルター
３２  フィルター面
３２Ａ  吸い込み側のフィルター面
３２Ｂ  吐き出し側のフィルター面
３４  上面
３５  移動機構
４１  スライド部材（挟み部材）
４３  被せ部材（挟み部材）
４１Ａ  開口縁
４４  ハンドル部材
４５  ブラシ
４６  挿入部
４７  ブラシ部材
４７Ｂ  ブラシ部材の内側（貯留部）
５１  上部ガイドレール
５１Ａ  係り部
５３  下部ガイドレール
５５  収納ガイド
６０  上スライド板
６０Ａ  爪部
６０Ｂ  起立部
６１  下スライド板
６１Ａ  爪部
６３  固定具
６６  開口
Ｗ  空気清浄フィルターの幅
【図１】
2020127681.tif 000003
【図２】
2020127681.tif 000004
【図３】
2020127681.tif 000005
【図４】
2020127681.tif 000006
【図５】
2020127681.tif 000007
【図６】
2020127681.tif 000008
【図７】
2020127681.tif 000009
【図８】
2020127681.tif 000010